(57)【要約】【課題】光学的情報読取機能と、非接触通信機能とを備えた携帯通信端末において、操作面以外の場所にスピーカの配置スペースを適切に確保でき、且つスピーカから発せられる音をユーザに良好に伝達しうる構成を提供する。【解決手段】携帯通信端末１は、光学的情報読取手段及び非接触通信手段をケース２内に収容してなるものである。この携帯通信端末１では、ケース２の裏面側にスピーカ部１２が設けられており、スピーカ部１２を被覆する形態で反響部材５０が配置されている。更に、ケース２の裏面部６０には、スピーカ部側から側壁部側に続く溝部６１が形成され、スピーカ部１２が反響部５１によって被覆されてなる空洞部７１と、溝部６１が導音部５２によって被覆されてなるダクト部７２とが連通して形成されており、空洞部７１に向けて発せられたスピーカ部１２からの音が、ダクト部７２により導かれ、側壁部６３に隣接するダクト端部から放出される。【選択図】図６
2010178065.tif 000002
【特許請求の範囲】
【請求項１】
光学的情報を読み取る光学的情報読取手段と、
非接触通信媒体との間で非接触通信を行う非接触通信手段と、
前記光学的情報読取手段及び前記非接触通信手段を収容するケースと、
前記ケースの裏面側に設けられたスピーカと、
を備えた携帯通信端末であって、
前記ケースの裏面側に、前記スピーカを被覆する反響部材が設けられ、
前記ケースの裏面部には、前記スピーカ側から前記ケースの側壁部側に続く溝部が形成されており、
前記反響部材は、
前記スピーカと対向して配され、且つ前記スピーカと対向する対向面の少なくとも一部が凸又は凹となる湾曲面として構成された反響部と、
前記反響部に連結されると共に、前記溝部を被覆する形態で配される導音部と、
を備え、
前記スピーカが前記反響部によって被覆されてなる空洞部と、前記溝部が前記導音部によって被覆されてなるダクト部とが連通して形成されており、
前記空洞部に向けて発せられた前記スピーカからの音が、前記ダクト部により導かれ、前記側壁部に隣接するダクト端部から放出されることを特徴とする携帯通信端末。
【請求項２】
前記ダクト端部を構成する開口部の一部が、前記ケースの前記側壁部によって構成されており、且つ、前記ダクト部における前記開口部からの音の放出方向が、側方かつ上方とされていることを特徴とする請求項１に記載の携帯通信端末。
【請求項３】
前記反響部は、前記対向面における前記スピーカと対向する対向領域全体が前記湾曲面とされていることを特徴とする請求項１又は請求項２に記載の携帯通信端末。
【請求項４】
前記溝部内には、一又は複数のフィンが前記溝部の方向に沿って形成されていることを特徴とする請求項１から請求項３のいずれか一項に記載の携帯通信端末。
【請求項５】
前記反響部材は、金属材料又は樹脂材料からなることを特徴とする請求項１から請求項４のいずれか一項に記載の携帯通信端末。
【請求項６】
前記反響部材における前記スピーカ側とは反対側の面が、当該反響部材よりも軟質の緩衝部材によって被覆されていることを特徴とする請求項１から請求項５のいずれか一項に記載の携帯通信端末。
【発明の詳細な説明】
【技術分野】
【０００１】
本発明は、携帯通信端末に関するものである。
【背景技術】
【０００２】
決済端末等の携帯通信端末では、ユーザに各種報知を行うため、ブザー等の発音手段が広く採用されている。この種の発音手段では、放出される音をユーザに聞き取りやすく効率的に伝達することが求められている。なお、このような発音手段に関する技術としては、例えば特許文献１のようなものが提供されている。
【先行技術文献】
【特許文献】
【０００３】
【特許文献１】特開２００５−４１５４公報
【発明の概要】
【発明が解決しようとする課題】
【０００４】
ところで、携帯通信端末の分野では、現在、小型化、高機能化が進行しており、情報コードなどの光学的情報を読み取る機能と、ＲＦＩＤタグに代表される非接触通信媒体を読み取る機能とを搭載した端末なども提供されている。このような高機能端末では、光学的情報読取機能や非接触通信機能を実現するための各種部品を配置する必要があり、これら部品は、操作性など考慮すると適切な配置場所が限られてしまうため、その結果、発音手段の配置スペースが制限されてしまうという問題がある。
【０００５】
特に、携帯通信端末では、ユーザの利便性向上が強く要求されており、ユーザ側の操作面には、表示装置や操作ボタンなどを配置することが求められる。従って、このような要求に応え、更に、上記機能部品（光学的情報読取手段や非接触通信手段）を搭載しようとした場合、スピーカの配置場所は極めて制限され、操作面側にスピーカを配置することは困難となる。
【０００６】
このような問題を解消する方法としては、ユーザの利用頻度の低い裏面側にスピーカを配置するといった構成が考えられるが、スピーカを裏面側に配置してしまうと、ユーザと反対側に音が放出されるため、ユーザに音が伝わりにくいという新たな問題が生じる。
【０００７】
本発明は、上述した課題を解決するためになされたものであり、光学的情報読取機能と、非接触通信機能とを備えた携帯通信端末において、操作面以外の場所にスピーカの配置スペースを適切に確保でき、且つスピーカから発せられる音をユーザに良好に伝達しうる構成を提供することを目的とする。
【課題を解決するための手段】
【０００８】
請求項１の発明は、光学的情報を読み取る光学的情報読取手段と、非接触通信媒体との間で非接触通信を行う非接触通信手段と、前記光学的情報読取手段及び前記非接触通信手段を収容するケースと、前記ケースの裏面側に設けられたスピーカ部と、を備えた携帯通信端末として構成されるものであり、前記ケースの裏面側に、前記スピーカ部を被覆する反響部材が設けられ、前記ケースの裏面部に、前記スピーカ部側から前記ケースの側壁部側に続く溝部が形成されている。
更に、前記反響部材は、前記スピーカ部と対向して配され、且つ前記スピーカ部と対向する対向面の少なくとも一部が凸又は凹となる湾曲面として構成された反響部と、前記反響部に連結されると共に、前記溝部を被覆する形態で配される導音部と、を備えている。
そして、前記スピーカ部が前記反響部によって被覆されてなる空洞部と、前記溝部が前記導音部によって被覆されてなるダクト部とが連通して形成されており、前記空洞部に向けて発せられた前記スピーカ部からの音が、前記ダクト部により導かれ、前記側壁部に隣接するダクト端部から放出される構成をなしている。
【０００９】
請求項２の発明は、請求項１に記載の携帯通信端末において、前記ダクト端部を構成する開口部の一部が、前記ケースの前記側壁部によって構成されており、且つ、前記ダクト部における前記開口部からの音の放出方向が、側方かつ上方とされていることを特徴としている。
【００１０】
請求項３の発明は、請求項１又は請求項２に記載の携帯通信端末において、前記反響部は、前記対向面における前記スピーカ部と対向する対向領域全体が前記湾曲面とされている。  
【００１１】
請求項４の発明は、請求項１から請求項３のいずれか一項に記載の携帯通信端末において、前記溝部内において、一又は複数のフィンが前記溝部の方向に沿って形成されていることを特徴としている。
【００１２】
請求項５の発明は、請求項１から請求項４のいずれか一項に記載の携帯通信端末において、前記反響部材が、金属材料又は樹脂材料からなることを特徴としている。
【００１３】
請求項６の発明は、請求項１から請求項５のいずれか一項に記載の携帯通信端末において、前記反響部材における前記スピーカ部側とは反対側の面が、当該反響部材よりも軟質の緩衝部材によって被覆されていることを特徴としている。
【発明の効果】
【００１４】
請求項１の発明では、ケース内に光学的情報を読み取る光学的情報読取手段と、非接触通信媒体との間で非接触通信を行う非接触通信手段とが設けられており、光学的情報の読み取り、及び非接触通信をいずれも単一の端末で行うことができる。
更に、スピーカ部がケース裏面側に配置されているため、ケース表面側においてスピーカ部配置のためのスペースを削減でき、ケース表面側を、音声伝達以外の、高機能、多機能を実現するためのスペースとして利用できるようになる。
また、スピーカ部を被覆する形態で、反響部と導音部とを備えた反響部材が設けられ、スピーカ部が反響部によって被覆されてなる空洞部と、ケース裏面部に形成された溝部が導音部によって被覆されてなるダクト部とが連通して形成されている。そして、空洞部に向けて発せられたスピーカ部からの音が、ダクト部により導かれ、ケース側壁部に隣接するダクト端部から放出される構成をなしている。このようにすると、スピーカ部から発せられた音を、より効率的にケース側方に放出でき、ケース上面側にユーザが存在する場合に当該ユーザに対してスピーカ部からの音を良好に伝達できる。
【００１５】
請求項２の発明は、ダクト端部を構成する開口部の一部が、ケースの側壁部によって構成されており、且つ、ダクト部における開口部からの音の放出方向が、側方かつ上方とされている。この構成では、ケース側壁部がスピーカ部からの音声を放出する放出口として機能することになり、更に、音の放出方向が側方かつ上方とされているため、操作面側（上面側）に存在するユーザに、より効率的に、且つより良好に音を伝えることができる。
【００１６】
請求項３の発明は、反響部において、スピーカ部と対向する対向領域全体が湾曲面とされている。このようにすると、低域部分の音圧を効果的に上昇させることができる。
【００１７】
請求項４の発明は、ダクト部を構成する溝部内において、一又は複数のフィンが溝部の方向に沿って形成されている。このようにすると、ダクト部を構造的に強固なものとすることができると共に、音の流れを整えることができる。
【００１８】
請求項５の発明は、反響部材が、金属材料又は樹脂材料によって構成されている。このようにすると、反響音を好適に発生させることができる。
【００１９】
請求項６の発明は、反響部材におけるスピーカ部側とは反対側の面が、当該反響部材よりも軟質の緩衝部材によって被覆されている。このようにすると、反響部材を外部衝撃から効果的に保護することができる。
【図面の簡単な説明】
【００２０】
【図１】図１は、第１実施形態に係る携帯通信端末を概略的に例示する側面図である。
【図２】図２（ａ）は、図１の携帯通信端末の平面図であり、図２（ｂ）は、図１の携帯通信端末の裏面図である。
【図３】図３（ａ）は、図１の携帯通信端末の電気的構成を例示するブロック図であり、図３（ｂ）は、図３（ａ）の情報コード読取部を具体的に例示するブロック図である。また、図３（ｃ）は、図３（ａ）の無線タグ処理部を具体的に例示するブロック図である。
【図４】図４は、図２（ｂ）の一部を拡大して示す拡大図である。
【図５】図５（ａ）は、図４から反響部材を取り外した状態を示す図であり、図５（ｂ）は、その取り外された反響部材を示す図である。
【図６】図６は、図４のＡ−Ａ断面の構成について、一部を変更して示す概略断面図である。
【図７】図７は、図４のＢ−Ｂ断面を概略的に示す概略断面図である。
【図８】図８（ａ）は、図７の変形例を示す概略断面図であり、図８（ｂ）は、図８（ａ）の構成に用いる反響部材を説明する説明図である。
【図９】図９（ａ）は、第１実施形態の構成を用いた場合の音圧測定結果と、第１実施形態の構成から反響部材を取り外した場合の音圧測定結果とを比較して説明するグラフである。図９（ｂ）は、音圧測定方法を説明する説明図である。
【図１０】図１０（ａ）は、図７等に示す構成を用いた場合の音圧測定結果を示すグラフであり、図１０（ｂ）は、図８の構成を用いた場合の音圧測定結果を示すグラフである。
【発明を実施するための形態】
【００２１】
[第１実施形態]
以下、本発明の携帯通信端末を具現化した第１実施形態について、図面を参照して説明する。図１は、第１実施形態に係る携帯通信端末を概略的に例示する側面図である。図２（ａ）は、図１の携帯通信端末の平面図であり、図２（ｂ）は、図１の携帯通信端末の裏面図である。図３（ａ）は、図１の携帯通信端末の電気的構成を例示するブロック図であり、図３（ｂ）は、図３（ａ）の情報コード読取部を具体的に例示するブロック図である。また、図３（ｃ）は、図３（ａ）の無線タグ処理部を具体的に例示するブロック図である。
図４は、図２（ｂ）の一部を拡大して示す拡大図である。図５（ａ）は、図４から反響部材を取り外した状態を示す図であり、図５（ｂ）は、その取り外された反響部材を示す図である。図６は、図４のＡ−Ａ断面を概略的に示す断面図であり、図７は、図４のＢ−Ｂ断面の概略図である。
【００２２】
（全体構成）
図１に示す携帯通信端末１は、ユーザによって携帯されて様々な場所で用いられるものであり、バーコードや二次元コードなどの情報コードを読み取る情報コードリーダとしての機能と、無線タグを読み取る無線タグリーダとしての機能とを備え、読み取りを二方式で行うことができるように構成されている。
【００２３】
図１、図２に示すように、携帯通信端末１は、全体的に長手状に構成されており、長手状のケース２のよって外郭が構成され、このケース２の内部に各種部品（各種電気部品等）が収容されている。ケース２は、例えば樹脂材料などからなる複数のケース体（図１の例では上ケース２ａ及び下ケース２ｂの２つのケース体）によって構成され、これらが結合した箱状形態をなしている。
【００２４】
図２（ｂ）に示すように、ケース２の長手方向一端側には、情報コードからの反射光を取り込む読取口５が形成されている。この読取口５は、ケース２の内部に光を取り込みうる開口形状となっており、その開口が透明部材（例えば透明の樹脂部材）によって閉塞された構成をなしている。また、携帯通信端末１には、ケース２から露出する形態で様々な部品が設けられている。例えば、図２（ａ）に示すように、上面側には、表示装置１１や、複数個の操作ボタン１４ａ（数字キーや機能キー等）を有するキー操作部１４が設けられており、側面側には、読取指示用のトリガスイッチ１３などが設けられている。
【００２５】
なお、本実施形態では、ケース２の長手方向を前後方向、ケース２の厚さ方向を上下方向、前記前後方向及び前記上下方向と直交する方向を幅方向（横方向）としている。また、図１〜図７では、前後方向をＸ軸方向とし、幅方向をＹ軸方向とし、上下方向をＺ軸方向として示している。
【００２６】
次に、電気的構成について説明する。携帯通信端末１におけるケース２の内部には、図３（ａ）に示すように、携帯通信端末１全体を制御する制御部１０が設けられている。この制御部１０は、マイコンを主体として構成されるものであり、ＣＰＵ、システムバス、入出力インタフェース等を有しており、メモリ１６と協働して情報処理手段として機能している。また、制御部１０には、表示装置１１、スピーカ部１２、トリガスイッチ１３、キー操作部１４、外部インターフェース１５なども接続されている。
【００２７】
トリガスイッチ１３やキー操作部１４は、制御部１０に対して操作信号を与える構成をなしており、制御部１０は、これらからの操作信号を受けて操作信号の内容に応じた各種制御を行う。表示装置１１は、例えば液晶表示器として構成されており、制御部１０からの指令を受けて様々な表示動作が行われるようになっている。外部インターフェース１５は、外部（例えばホスト装置）との間でのデータ通信を行うためのインターフェースとして構成されており、制御部１０と協働して通信処理を行うように構成されている。また、ケース２内には、電源となるバッテリ１７や電源部１８が設けられており、これらによって制御部１０や各種電気部品に電力が供給されるようになっている。
【００２８】
また、制御部１０には、無線タグ処理部２０及び情報コード読取部３０がそれぞれ接続されている。
情報コード読取部３０は、図３（ｂ）に示すように、ＣＣＤエリアセンサからなる受光センサ３３、結像レンズ３７、複数個のＬＥＤやレンズ等から構成される照明部３１などを備えた構成をなしており、制御部１０と協働して読取対象Ｒに付された情報コードＣ（バーコードや二次元コード）を読み取るように機能する。この情報コード読取部３０によって読み取りを行う場合、まず、制御部１０によって指令を受けた照明部３１から照明光Ｌｆが出射され、この照明光Ｌｆが読取口５（図２（ｂ）参照）を通って読取対象Ｒに照射される。そして、照明光Ｌｆが情報コードＣ（バーコードや二次元コード）にて反射した反射光Ｌｒは、読取口５を通って装置内に取り込まれ、結像レンズ３７を通って受光センサ３３に入射する。読取口５と受光センサ３３との間に配される結像レンズ３７は、情報コードＣの像を受光センサ３３上に結像させる構成をなしており、受光センサ３３はこの情報コードＣの像に応じた受光信号を出力する。受光センサ３３から出力された受光信号は、画像データとしてメモリ１６（図３（ａ）））に記憶され、デコード処理に用いられる。なお、情報コード読取部３０には、受光センサ３３からの信号を増幅する増幅回路や、その増幅された信号をデジタル信号に変換するＡＤ変換回路等が設けられているがこれらの回路については図示を省略している。
本実施形態では、情報コード読取部３０及び制御部１０が「光学的読取手段」の一例に相当する。
【００２９】
無線タグ処理部２０は、アンテナ４０及び制御部１０と協働して決済メディア（例えばキャッシュカードやクレジットカードとして構成されるＩＣカード等）に設けられた無線タグとの間で電磁波による通信を行ない、無線タグに記憶されるデータの読取り、或いは無線タグに対するデータの書込みを行なうように機能するものである。この無線タグ処理部２０は、公知の電波方式で伝送を行う回路として構成されており、図３（ｃ）にて概略的に示すように、発振器２１、変調器２２、復調器２３などを備えている。なお、無線タグ処理部２０には、これら以外の公知構成（例えば、増幅器、フィルタ回路、整合回路等）も設けられているが、図３（ｃ）ではこれらについては図示を省略している。
【００３０】
この無線タグ処理部２０では、発振器２１にて生成された搬送波を、無線タグに与えるべき送信データ（制御部１０から出される読取命令や書込命令など）に基づいて変調し、その変調波を、コイルアンテナなどからなるアンテナ４０から無線タグに対して発射する。なお、これを受ける無線タグでは、アンテナ４０から発射された電波を受信し、復調して読み取りや書込みを行う。一方、無線タグから携帯通信端末１へのデータ伝送は、アンテナ４０から発射された電波を反射波に利用し、無線タグから送信すべきデータに基づいて変調することで行われる。無線タグから反射される電波は、アンテナ４０にて受信され、復調器２３にて復調された後、制御部１０にてデータとして利用される。
【００３１】
（特徴的構成）
次に、本実施形態の特徴的構成について説明する。
本実施形態の携帯通信端末１は、図５（ａ）、図６、図７に示すように、上述したケース２の裏面側にスピーカ部１２が設けられている。このスピーカ部１２は、ケース２の内部に収容される音声発生部１２ａと、この音声発生部１２ａをカバーする多孔カバー部１２ｂとによって構成されている。
【００３２】
音声発生部１２ａは、公知のスピーカとして構成されるものであり、制御部１０の電気的制御に応じた各種音声を発生する構成をなしている。また、多孔カバー部１２ｂは、ケース２の裏面部６０の一部として構成されており、下ケース２ｂの一部を構成する板状部に複数の貫通孔１２ｃが形成されている。多孔カバー部１２ｂは、音声発生部１２ａと対向するように配置されて当該音声発生部１２ａを被覆する形態をなしており、音声発生部１２ａから放出された音声（音波）を、貫通孔１２ｃを介してケース外に設けられた空洞部７１に導出するように機能する。
【００３３】
また、ケース２の裏面側において、スピーカ部１２を被覆する位置に、反響部材５０が設けられている。この反響部材５０は、例えば、金属材料や樹脂材料などによって構成されており、スピーカ部１２と対向して配置される板状の反響部５１と、ケース２の裏面部６０に形成された溝部６１，６１を被覆する板状の導音部５２，５２とを備えている。そして、スピーカ部１２から放出された音声（音波）を反響させ、当該音声をケース２の両側方に導くように機能している。
【００３４】
なお、反響部材５０の構成としては、図２（ｂ）、図４、図５（ｂ）に示すように、導音部５２，５２の各端部が、幅方向において側壁部６３、６３のやや手前に位置する構成であってもよく、図６に示すように、導音部５２，５２が側壁部６３，６３それぞれの近傍まで延びるような構成であってもよい（なお、図６のように構成する場合には、図６の一点鎖線Ｍに相当する部分が、図４、図５の一点鎖線Ｎの部分に配置される構成となる）。以下の例では、主に図６、図７を参照し、導音部５２，５２が側壁部６３，６３それぞれの近傍まで延びる構成について説明する。
【００３５】
反響部５１は、図６、図７に示すように、裏面部６０の一部をなす多孔カバー部１２ｂと距離を隔てて配置されており、これら反響部５１及び多孔カバー部１２により、空洞部７１が形成されている。反響部５１は、スピーカ部１２と対向する対向面において、当該スピーカ部１２と対向する対向領域全体が、スピーカ部１２から遠ざかる側に凸となる球面状の湾曲面とされており、空洞部７１全体がドーム型に構成されている。
【００３６】
導音部５２，５２は、一対の溝部６１，６１をカバーする形態で対をなして配置されており、これら溝部６１，６１と共に一対のダクト部７２，７２を構成している。溝部６１，６１は、図５（ａ）、図６に示すように、ケース２の裏面部６０において、スピーカ部１２側からケース２の両側壁部６３，６３に続く形態で、それぞれが幅方向に延びており、図６に示すように、いずれの溝部６１、６１も、空洞部７１側の端部よりも、側壁部６３側の端部のほうが上方となるように斜め上向きの流路とされている。なお、図４、図５（ａ）、図６等に示す例では、側壁部６３に形成された切欠部が溝部６１の端部を構成しており、側壁部６３，６３のそれぞれの一部（各切欠部）と、導音部５２，５２の各端部とによってダクト端部となる開口部７３が構成されている。
【００３７】
これら溝部６１，６１と導音部５２，５２とによって構成されるダクト部７２，７２は、いずれも空洞部７１に連通して形成されており、いずれも、空洞部７１側の端部（空洞部７１からの音声を取り込む導音口）よりも、側壁部６３側の開口部７３（音声を装置外に放出する放出口）のほうが上方となるように、流路が斜め上向きとされている（流路の向きを示す矢印Ｆ１，Ｆ２参照）。
【００３８】
また、裏面部６０において溝部６１の内部には、複数のフィン６２が溝部６１の方向に沿って形成されている。これらフィン６２は、溝部６１の底部から板状に突出しており、溝部６１の側壁から間隔をあけて配置されると共に、フィン同士が間隔をあけて配置されている。従って、空洞部７１から放出される音声（音波）は、フィン間或いはフィンと溝部側壁との間を通って開口部７３から放出されることになる。
【００３９】
この構成では、以下のように音声（音波）が伝達される。まず、音声発生部１２ａにて発生した音声（音波）は、多孔カバー部１２ｂを通って空洞部７１に放出される。そして、この空洞部７１内において湾曲状の反響部５１（反響板）に当たり、この反響部５１によって空洞部７１から両ダクト部７２，７２に導かれる。空洞部７１から各ダクト部７２，７２に導かれた音波は、これらダクト部７２，７２の内部を伝わり、側壁部６３，６３に隣接する開口部７３，７３（ダクト端部）から側方かつ上方に放出される。
【００４０】
また、本実施形態では、反響部材５０におけるスピーカ部１２側とは反対側の面が、当該反響部材５０よりも軟質の緩衝部材５３によって被覆されている。この緩衝部材５３の材質としては様々なものが考えられるが、例えば、反響部材５０を金属材料や硬質の樹脂材料（例えば、ＡＢＳ、ポリカーボネイト等）によって構成した場合には、ゴム、エラストマーなどの軟質材料を用い、これらをインサート成形などによって一体成形すればよい。なお、本実施形態では、図１に示すように、上下方向において反響部材５０が裏面部６０から突出する形態で配置されているため、緩衝部材５３が設けられていないと、携帯通信端末１を載置するときに硬質の反響部材５０が直接載置面に当ってしまうことになる。これに対し、図１の構成では、反響部材５０の下方が緩衝部材５３によって被覆されているため、携帯通信端末１を載置したときに反響部材５０を直接載置面に当接させずに済み、携帯通信端末１の先端部側を効果的に保護することができる。
【００４１】
なお、上記の例では、反響部５１におけるスピーカ部１２と対向する対向面の形状を、対向領域全体にわたり、スピーカ部１２から遠ざかる側に球面状に凸となる湾曲面としたが、このような構成でなくてもよい。例えば、反響部におけるスピーカ部１２と対向する対向面の一部又は全部を、スピーカ部１２から遠ざかる側に凹となる湾曲面としてもよく、図８のように、スピーカ部１２と対向する対向領域の一部のみを凸状の湾曲面としてもよい。
【００４２】
図８（ａ）は、図７の変形例を示す概略断面図であり、図８（ｂ）は、図８（ａ）の構成に用いる反響部材を説明する説明図である。なお、図８の携帯通信端末１は、反響部の構成のみが図１〜図７に示す構成と異なり、他の部分については上述した図１〜図７の構成と同様である。よって反響部以外については、図１〜図７と同一の符号を付し、詳細な説明は省略する。
【００４３】
図８の構成では、スピーカ部１２に対向する反響部１５１の一部が湾曲部１５１ａとして構成され、他部分が平坦部１５１ｂとして構成されている。湾曲部１５１ａは、スピーカ部１２と対向する対向面がスピーカ部１２から遠ざかる側に凸となる球面状の湾曲面とされている。また、平坦部１５１ｂは、スピーカ部１２と対向する対向面が多孔カバー部１２ｂの外面とほぼ平行な平坦面とされており、多孔カバー部１２ｂからある程度の隙間を空けて配置されている。このように構成される反響部１５１は、多孔カバー部１２ｂと共に空洞部１７１を構成しており、この空洞部１７１に図１〜図７の例と同様のダクト部７２が連通して配置されている。この構成でも、基本的に図１〜図７と同様の効果が得られることとなる。
【００４４】
（本実施形態の主な効果）
本実施形態の携帯通信端末１は、ケース内に光学的情報を読み取る光学的情報読取手段と、非接触通信媒体との間で非接触通信を行う非接触通信手段とが設けられており、光学的情報の読み取り、及び非接触通信をいずれも単一の端末で行うことができるうようになっている。
更に、スピーカ部１２がケース裏面側に配置されているため、ケース表面側（即ち、表示装置１１等が設けられる上面側）においてスピーカ部を配置するためのスペースを削減でき、ケース表面側を、音声伝達以外の、高機能、多機能を実現するためのスペースとして利用できるようになる。
また、スピーカ部１２を被覆する形態で、反響部５１と導音部５２とを備えた反響部材５０が設けられ、スピーカ部１２が反響部５１によって被覆されてなる空洞部７１と、ケース裏面部６０に形成された溝部６１が導音部５２によって被覆されてなるダクト部７２とが連通して形成されている。そして、空洞部７１に向けて発せられたスピーカ部１２からの音声（音波）が、ダクト部７２により導かれ、ケース側壁部６３に隣接するダクト端部から放出される構成をなしている。このようにすると、スピーカ部１２から発せられた音声（音波）を、より効率的にケース側方に放出でき、ケース上面側にユーザが存在する場合に当該ユーザに対してスピーカ部１２からの音を良好に伝達できる。
【００４５】
また、本実施形態では、ダクト端部を構成する開口部７３，７３の一部が、ケース２の側壁部６３によって構成されており、且つ、ダクト部７２における開口部７３，７３からの音の放出方向が、側方かつ上方とされている。この構成では、ケース側壁部６３がスピーカ部１２からの音声を放出する放出口として機能することになり、更に、音の放出方向が側方かつ上方とされているため、操作面側（上面側）に存在するユーザに、より効率的に、且つより良好に音を伝えることができる。
【００４６】
なお、このような効果は実験結果からも明らかとされている。図９、図１０では、このような効果を裏付けた実験例を示しており、図９（ａ）は、本実施形態の構成を用いた場合の音圧測定結果と、本実施形態から反響部材を取り外した場合の音圧測定結果とを比較して説明するグラフである。図９（ｂ）は、図９（ａ）、図１０の測定結果を得るための音圧測定方法を説明する説明図である。また、図１０（ａ）は、図７等に示す構成を用いた場合の音圧測定結果を示すグラフであり、図１０（ｂ）は、図８の構成を用いた場合の音圧測定結果を示すグラフである。
【００４７】
この例において、「放音ダクト構造なし」の測定結果は、本実施形態に係る携帯通信端末１から反響部材５０を取り外した構成についての測定結果である。図９（ｂ）に示すように、端末から２７９３Ｈｚの音声を発生させて音圧の測定を行った場合、反響部材５０を用いない構成では、図９（ａ）のように６９．１ｄｂの音圧が検出されたのに対して、図８の構成を用いた場合には、７７．９ｄｂの音圧が検出されている（図１１（ｂ）の楕円枠部分も参照）。なお、図１１（ａ）に示すように、図１〜７の構成を用いた場合にも、同程度の大きな音圧が検出されている。
【００４８】
また、図１〜図７の構成では、反響部５１において、スピーカ部１２と対向する対向領域全体が湾曲面とされている。このようにすると、低域部分の音圧を効果的に上昇させることができる（図１１（ａ）の楕円枠部分参照）。また、図１１（ａ）楕円枠部分に示すように、音圧を全体的に上昇させることができ、特定領域の音圧が突出しにくくなるため、メロディーや音声においてなめらかな違和感のない音圧が得られることになる。
【００４９】
また、本実施形態の構成では、ダクト部７２を構成する溝部６１内において、複数のフィン６２が溝部６１の方向に沿って形成されている。このようにすると、ダクト部７２を構造的に強固なものとすることができると共に、音の流れを整えることができる。
【００５０】
また、反響部材５０が、金属材料や樹脂材料によって構成されている。このようにすると、反響音を好適に発生させることができる。
【００５１】
また、反響部材５０におけるスピーカ部１２側とは反対側の面が、当該反響部材５０よりも軟質の緩衝部材５３によって被覆されている。このようにすると、反響部材５０を外部衝撃から効果的に保護することができる。
【００５２】
［他の実施形態]
本発明は上記記述及び図面によって説明した実施形態に限定されるものではなく、例えば次のような実施形態も本発明の技術的範囲に含まれる。
【００５３】
上記実施形態では、スピーカ部１２の一例として、音声発生部１２ａを多孔カバー部１２ｂによって被覆した構成を例示したが、多孔カバー部１２ｂを設けない構成としてもよい。例えば、ケース２の裏面部６０に大きめの開口を形成し、この開口から音声発生部１２ａをケース外に露出させる構成としてもよい。
【００５４】
上記実施形態では複数のフィン６２が設けられた構成を例示したが、各溝部に単一のフィンが設けられていてもよく、このようなフィンを省略した構成としてもよい。
【符号の説明】
【００５５】
１…携帯通信端末
２…ケース
１０…（光学的情報読取手段、非接触通信手段）
１２…スピーカ部
２０…無線タグ処理部（非接触通信手段）
３０…情報コード読取部（光学的情報読取手段）
５０…反響部材
５１，１５１…反響部
５２…導音部
５３…緩衝部材
６０…裏面部
６１…溝部
６２…フィン
６３…側壁部
７１…空洞部
７２…ダクト部
７３…開口部（ダクト端部）
【図１】
2010178065.tif 000003
【図２】
2010178065.tif 000004
【図３】
2010178065.tif 000005
【図４】
2010178065.tif 000006
【図５】
2010178065.tif 000007
【図６】
2010178065.tif 000008
【図７】
2010178065.tif 000009
【図８】
2010178065.tif 000010
【図９】
2010178065.tif 000011
【図１０】
2010178065.tif 000012